(57)【要約】【課題】  患者が医療従事者を呼び出す際に、暗い場合でも呼び出し操作を行なうことができるようにしつつ、他の患者に眩しい思いをさせず、医療従事者が患者を正確かつ迅速に把握できるように、照明機器を容易に点灯させることができるようにする。【解決手段】  病床の近傍に設置され、少なくとも患者の顔付近を照明する照明灯２３を照明点灯信号の入力により点灯させる照明ユニット２０と、患者の手元に設置され、患者が医療従事者を呼び出すために操作する呼び出し操作部２および少なくとも呼び出し操作部２を照明する光源３を筐体４内に設けた操作ユニット１とを備え、呼び出し操作部２が操作された場合には、照明点灯信号を生成して照明ユニットに出力するとともに、医療従事者を呼び出すための呼び出し信号を生成して出力するようにしている。【選択図】        図１
2009034202.tif 000002
【特許請求の範囲】
【請求項１】
病床の近傍に設置され、少なくとも患者の顔近傍を照明するとともに、照明点灯信号を入力することで点灯する照明ユニットと、
前記患者の手元に設置され、前記患者が医療従事者を呼び出すために操作する呼び出し操作部と、前記呼び出し操作部を収容する筐体と、前記筐体内に設けられ少なくとも前記呼び出し操作部を照明する光源とを備えた操作ユニットと、
前記呼び出し操作部が操作された場合に、前記医療従事者を呼び出すための呼び出し信号を生成して出力するとともに、前記照明点灯信号を生成して前記照明ユニットに出力する制御部と、
を備えたナースコール子機。
【請求項２】
前記制御部は、前記呼び出し操作部が一回目に操作された場合には、前記照明点灯信号を生成して前記照明ユニットに出力し、前記呼び出し操作部が二回目に操作された場合には、前記呼び出し信号を生成して出力することを特徴とする請求項１に記載のナースコール子機。
【発明の詳細な説明】
【技術分野】
【０００１】
本発明は、患者毎に設置され、患者を照らす照明灯を備えたナースコール子機に関し、ナースコール子機からの呼び出しに対して、ナースコール親機で応答できるように成されたナースコールシステムに用いて好適なものである。
【背景技術】
【０００２】
従来、病院などの施設に設置されるナースコールシステムでは、病室内の患者の近辺（例えば、ベッド近傍など）に設置されたナースコール子機および看護師などの医療従事者が在室しているナースセンターなどに設置されたナースコール親機を有線や無線などにより接続している。また、ナースコール子機およびナースコール親機は、廊下灯や制御機などを介して接続されている。
【０００３】
ナースコール子機およびナースコール親機を有線にて接続する場合には、ナースコール子機のコードの先端に設けられた接続端子は、病室内のベッド近傍の壁面に埋め込まれた壁面ユニットの接続部に着脱自在に取り付けられている。
【０００４】
また、ナースコール子機としては、握り押しボタン式子機やハンド形子機等がある。握り押しボタン式子機は、呼び出しボタンの押下により医療従事者を呼び出すものであり通話機能は持っていない。また、ハンド形子機は、呼び出しボタンに加え、マイク、スピーカを内蔵しており通話機能を有している。なお、このようなナースコールシステムは、病院だけではなく、介護施設などでも使用されている。
【０００５】
このようなナースコールシステムにおいて、握り押しボタン式子機やハンド形子機は、患者が操作し易いように、ベッド上の患者の近傍に特に固定されることなく置かれることが多い。そのため、夜間などの暗い場所では、患者は、握り押しボタン式子機やハンド形子機がどこにあるかわからなくなってしまい、医療従事者を呼び出すことができなくなってしまうという問題があった。
【０００６】
これを解決するために、内部に光源を設けて透光性を有する材質で構成したボタンから光が漏れるように構成した握り押しボタン式子機やハンド形子機が知られている。これにより、暗い場所でも、握り押しボタン式子機やハンド形子機の存在位置を患者に視認させることができる。
【０００７】
ところで、夜間などの時間帯には、病室内の照明が落とされているため、病室内全体が暗くなっている。そのため、内部に光源を設けて透光性を有する材質で構成したボタンから光が漏れるように成された握り押しボタン式子機やハンド形子機を各患者に対して設置した場合でも、患者は、握り押しボタン式子機やハンド形子機を視認することができるものの、患者に呼び出されて病室に駆けつけた医療従事者は、病室内で握り押しボタン式子機やハンド形子機から漏れる光のみを頼りに患者を特定しなければならないので、患者の特定までに時間がかかってしまったり、患者を正確に特定することができなくなってしまったりするという問題があった。なお、患者を正確に特定することができるように、病室内の照明を点灯させるという方法も考えられるが、病室内の照明を点灯させると、呼び出しを行なった患者以外の患者が眩しいと感じてしまったり、照明を点灯させる時間が余計にかかってしまったりすることがあるため、良い方法とはいえなかった。
【０００８】
これに対して、アーム部の先端に設けたヘッド部に照明灯や照明スイッチ、医療従事者を呼び出すための押しボタンなどを設け、アーム部の基部を壁面に取り付けるようにしたナースコール子機が知られている（例えば、特許文献１など）。
【特許文献１】特開２００５−５２４０４号公報
【０００９】
このような照明ユニットを成すナースコール子機を採用することで、各患者に対して照明機器が提供されるようになる。そのため、患者が医療従事者を呼び出す際に、照明機器を点灯させることができれば、呼び出された医療従事者は、患者を正確に特定することができるようになる。しかしながら、特許文献１に記載のナースコール子機では、患者は、呼び出しの操作を手元で行なうことができるものの、照明スイッチを操作するためには、ヘッド部まで手を伸ばさなければならない。そのため、患者は、照明スイッチの操作が面倒となったり、呼び出しが容態の悪化などによる緊急な場合には、呼び出し操作を行なうことで精一杯となったりして、照明スイッチを操作することができなくなってしまうという問題があった。
【発明の開示】
【発明が解決しようとする課題】
【００１０】
本発明は、このような問題を解決するために成されたものであり、患者が医療従事者を呼び出す際に、暗い場合でも呼び出し操作を行なうことができるようにしつつ、他の患者に眩しい思いをさせず、医療従事者が患者を正確かつ迅速に把握できるように、照明灯を容易に点灯させることができるようにすることを目的とする。
【課題を解決するための手段】
【００１１】
上述した課題を解決するために、本発明では、病床の近傍に設置され、少なくとも患者の顔付近を視認可能に照明する照明灯を照明点灯信号の入力により点灯させる照明ユニットと、患者の手元に設置され、患者が医療従事者を呼び出すために操作する呼び出し操作部および少なくとも呼び出し操作部を視認可能に照明する光源を筐体内に設けた操作ユニットとを備え、呼び出し操作部が操作された場合には、照明点灯信号を生成して照明ユニットに出力するとともに、医療従事者を呼び出すための呼び出し信号を生成して出力するようにしている。
【発明の効果】
【００１２】
以上のように、本発明によれば、呼び出し操作部が光源により照明されているので、患者は、暗い場合でも呼び出し操作部を視認することができる。また、照明ユニットが患者毎に設けられ、かつ、患者の顔付近が照明されるので、照明灯を点灯させても他の患者に眩しい思いをさせないようにすることができる。また、呼び出しを行なった患者が照明灯により照明されるので、医療従事者は、患者を正確かつ即座に把握することができる。また、医療従事者を呼び出すための呼び出し操作部を操作するだけで照明灯が点灯するので、患者は、照明灯を容易に点灯させることができる。従って、効率的に患者を照明することができるようになる。
【発明を実施するための最良の形態】
【００１３】
以下、本発明の一実施形態を図面に基づいて説明する。図１は、本実施形態によるナースコール子機の外観例を示す図であり、図２は、本実施形態によるナースコール子機の構成例を示すブロック図である。図１および図２に示すように、本実施形態によるナースコール子機は、操作ユニット１、壁面ユニット１０、照明ユニット２０を備えて構成されている。
【００１４】
操作ユニット１は、呼び出し操作部２、光源３、筐体４を備えて構成されている。また、壁面ユニット１０は、制御部１１、インターフェース１２、操作ユニット用接続部１３、復旧操作部１４、照明ユニット用接続部１５、照明ユニット支持部１６を備えて構成されている。また、照明ユニット２０は、アーム２１、電源線２２、照明灯２３、照明スイッチ２４を備えて構成されている。
【００１５】
操作ユニット１は、病室内の患者の近辺（例えば、ベッド上など）に設置されており、好ましくは患者の手元に設置されている。また、操作ユニット１は、伝送線を介して壁面ユニット１０に接続されている。また、壁面ユニット１０は、病室内の患者の近辺の壁面に埋め込まれている。また、照明ユニット２０は、アーム２１により壁面ユニット１０に支持されており、患者の顔付近を含む領域を照明するために、位置を調整することができる。ここで、操作ユニット１は、壁面ユニット１０を介してナースコール親機に接続されている。ナースコール親機は、医療従事者が在室するナースセンターなどに設置されている。ここで、ナースコール親機には、複数の操作ユニット１（換言すると、壁面ユニット１０）が接続されている（図示せず）。
【００１６】
また、壁面ユニット１０とナースコール親機との間に廊下灯や制御機などを設けるようにしても良い。ここで、廊下灯は、病室毎に設けられており、各部屋の出入口近傍の外側の壁面などに取り付けられており、患者からの呼び出し時に点灯するなどの状態変化により呼び出しを報知する。また、制御機は、壁面ユニット１０から入力した呼び出し信号を識別すると共に、それらの信号がどの患者からのものであるか（どの壁面ユニット１０からのものであるか）を特定してナースコール親機に送信する。
【００１７】
呼び出し操作部２は、患者により医療従事者を呼び出すための操作を行なうもので、ボタンなどにより構成されている。呼び出し操作部３が操作されると、呼び出し操作部３は、操作信号を出力する。また、呼び出し操作部３を構成するボタンは、透光性を有する部材により構成されている。光源３は、ＬＥＤ（Light Emitting Diode）などにより構成されており、筐体４内に内蔵されている。また、光源３は、伝送線を介して壁面ユニット１０から電源を供給されており、夜間などの暗い場合に発光するように制御されている。また、光源３が発光している場合には、光源３の光は、透光性を有する部材により構成されているボタンから漏れている。そのため、患者は、夜間などの暗い場合でも、操作ユニット１を視認可能である。
【００１８】
壁面ユニット１０の制御部１１は、操作ユニット１から出力された操作信号を入力する。制御部１１が一回目に操作信号を入力した場合には、制御部１１は、照明ユニット２０の照明灯を点灯させるための照明点灯信号を生成して出力する。一方、制御部１１が二回目に操作信号を入力した場合には、制御部１１は、医療従事者を呼び出すための呼び出し信号を生成して出力する。
【００１９】
インターフェース１２は、制御部１１から照明点灯信号および呼び出し信号を入力し、その入力に応じて、出力先の機器を切り替える。例えば、インターフェース１２が制御部１１から照明点灯信号を入力した場合には、インターフェース１２は、照明点灯信号を照明ユニット２０に出力する。一方、インターフェース１２が制御部１１から呼び出し信号を入力した場合には、インターフェース１２は、呼び出し信号をナースコール親機に出力する。
【００２０】
操作ユニット用接続部１３は、操作ユニット１から伸びている伝送線の端部に設けられたコネクタを接続するためのものである。復旧操作部１４は、インターフェース１２からナースコール親機に呼び出し信号が出力されて、ナースコール子機およびナースコール親機が呼び出し状態となった場合に、この状態を解除するためのものである。ここで、復旧操作部１４が操作されると、制御部１１に入力した操作信号の回数をリセットする。
【００２１】
照明ユニット用接続部１５は、照明ユニット２０に電源を供給するために照明ユニットから伸びている電源線２２の端部に設けられたコンセントを接続するためのものである。また、この電源線２２は、インターフェース１２から出力された照明点灯信号を照明ユニットに出力するためのものである。ここで、制御部１１が一回目に操作信号を入力した場合には、インターフェース１２は、制御部１１にて生成された照明点灯信号を照明ユニット２０に出力する。照明ユニット支持部１６は、照明ユニット２０のアーム２１の先端を支持するためのものである。
【００２２】
照明ユニット２０のアーム２１は、途中に設けた回動部により屈曲可能であり、患者や医療従事者は、アーム２１を屈曲されることにより、照明ユニット２０の照明灯２３を所望の角度にすることができる。電源線２２は、照明ユニット２０に壁面ユニット１０から電源を供給するためのものである。また、電源線２２は、照明ユニット２０の照明灯２３を点灯させるための照明点灯信号を壁面ユニット１０から照明ユニット２０に供給するためのものである。
【００２３】
照明灯２３は、蛍光灯などにより構成されており、照明ユニット２０のヘッド部分に下方を照明するように設置されている。照明灯２３からの光は、少なくとも患者の顔付近を含む領域を照明することが可能である。照明スイッチ２４は、照明灯２４を点灯／消灯するためのものであり、患者や医療従事者により操作される。ここで、照明スイッチ２４の操作よりも、壁面ユニット１０から照明ユニット２０に供給される照明点灯信号が優先されるため、照明スイッチ２４を消灯状態としていても、照明ユニット２０に照明点灯信号が入力した場合には、照明灯２３は点灯することとなる。
【００２４】
次に、本実施形態によるナースコール子機の動作および呼び出し方法を説明する。図３は、本実施形態によるナースコール子機の動作および呼び出し方法を示すフローチャートである。まず、操作ユニット１では、呼び出し操作部３が操作されたか否かを調べる（ステップＳ１）。呼び出し操作部３が操作されていない場合には（ステップＳ１にてＮＯ）、ステップＳ１の処理を繰り返す。一方、呼び出し操作部３が操作された場合には（ステップＳ１にてＹＥＳ）、呼び出し操作部３は、操作信号を生成して壁面ユニット１０に出力する（ステップＳ２）。そして、ステップＳ１の処理に戻る。
【００２５】
壁面ユニット１０では、制御部１１が操作ユニット１から操作信号を入力したか否かを制御部１１にて調べる（ステップＳ３）。操作信号を入力していないと制御部１１にて判断した場合には（ステップＳ３にてＮＯ）、ステップＳ３の処理を繰り返す。一方、操作信号を入力したと制御部１１にて判断した場合には（ステップＳ３にてＹＥＳ）、制御部１１は、照明点灯信号を生成してインターフェース１２を介して照明ユニット２０に出力する（ステップＳ４）。
【００２６】
また、照明灯２３を消灯した状態である照明ユニット２０では、照明スイッチ２４が操作されたか否かを調べる（ステップＳ５）。照明スイッチ２４が操作された場合には（ステップＳ５にてＹＥＳ）、ステップＳ７へ移行する。一方、照明スイッチ２４が操作されていない場合には（ステップＳ５にてＮＯ）、照明ユニット２０は、照明点灯信号を入力したか否かを調べる（ステップＳ６）。照明点灯信号を入力していない場合には（ステップＳ６にてＮＯ）、ステップＳ６の処理を繰り返す。また、照明点灯信号を入力した場合には（ステップＳ６にてＹＥＳ）、ステップＳ７へ移行する。
【００２７】
ステップＳ７では、照明ユニット２０は、照明灯２３を点灯させる。このように照明灯２３が点灯している状態で、壁面ユニット１０では、操作信号を入力したか否かを調べる（ステップＳ８）。制御部１１が操作信号を入力していないと制御部１１にて判断した場合には（ステップＳ８にてＮＯ）、ステップＳ８の処理を繰り返す。一方、操作ユニット１の呼び出し操作部３が操作されて操作信号が出力され、制御部１１が操作信号を入力したと制御部１１にて判断した場合には（ステップＳ８にてＹＥＳ）、制御部１１は、呼び出し信号を生成してインターフェース１２を介してナースコール親機に出力する（ステップＳ９）。
【００２８】
そして、この状態で、ナースコール親機では、呼び出しの報知が行なわれる。呼び出しの報知が行なわれると、この報知を認識した医療従事者が呼び出しに対する応答を行ない、呼び出しを行なった患者の居る病室に駆けつける。この応答の動作は、具体的には、復旧操作部１４の操作により行なわれる。
【００２９】
壁面ユニット１０では、復旧操作部１４が操作されたか否かを制御部１１にて調べる（ステップＳ１０）、復旧操作部１４が操作されていないと制御部１１にて判断した場合には（ステップＳ１０にてＮＯ）、ステップＳ１０の処理を繰り返す。一方、復旧操作部１４が操作されたと制御部１１にて判断した場合には（ステップＳ１０にてＹＥＳ）、制御部１１は、操作信号の入力回数をリセットして処理を終了する。
【００３０】
医療従事者が呼び出しを行なった患者の居る病室に到着すると、照明ユニット１０の照明灯２３は、呼び出しを行なった患者の顔付近を照らしている。そのため、医療従事者は、呼び出しを行なった患者を正確かつ即座に把握することができる。この状態で、照明ユニット２０では、照明スイッチ２４が操作されたか否かを調べる（ステップＳ１１）。照明スイッチ２４が操作されていない場合には（ステップＳ１１にてＮＯ）、ステップＳ１１の処理を繰り返す。一方、照明スイッチ２４が操作された場合には（ステップＳ１１にてＹＥＳ）、照明ユニット２０は、照明灯２３を消灯する（ステップＳ１２）。
【００３１】
以上詳しく説明したように、本実施形態によれば、病床の近傍に設置され、少なくとも患者の顔付近を視認可能に照明する照明灯２３を照明点灯信号の入力により点灯させる照明ユニット２０と、患者の手元に設置され、患者が医療従事者を呼び出すために操作する呼び出し操作部２および少なくとも呼び出し操作部２を視認可能に照明する光源３を筐体４内に設けた操作ユニット１とを備え、一度目に呼び出し操作部２が操作された場合には、壁面ユニット１０の制御部１１は、照明点灯信号を生成して照明ユニット２０に出力するとともに、二度目に呼び出し操作部２が操作された場合には、制御部１１は、医療従事者を呼び出すための呼び出し信号を生成して出力するようにしている。
【００３２】
これにより、呼び出し操作部２が光源３により照明されているので、患者は、暗い場合でも呼び出し操作部２を視認することができる。また、照明ユニット２０が患者毎に設けられ、かつ、患者の顔付近が照明されるので、照明灯２３を点灯させても他の患者に眩しい思いをさせないようにすることができる。また、呼び出しを行なった患者が照明灯２３により照明されるので、医療従事者は、患者を正確かつ即座に把握することができる。また、医療従事者を呼び出すための呼び出し操作部２を操作するだけで照明灯２３が点灯するので、患者は、照明灯２３を容易に点灯させることができる。従って、効率的に患者を照明することができる。
【００３３】
なお、前述した実施形態では、ナースコール子機とナースコール親機との間の通話機能を省略しているが、これに限定されない。例えば、操作ユニット１や壁面ユニット１０にマイクやスピーカを内蔵して、ナースコール子機とナースコール親機との間の通話機能を実現するようにしても良い。
【００３４】
また、前述した実施形態では、呼び出し操作部２が一回目に操作された場合に照明ユニット２０の照明灯２３を点灯し、二回目に操作された場合に呼び出し信号を出力するようにしているが、これに限定されない。例えば、呼び出し操作部２が一回目に操作された場合に、照明灯２３を点灯して呼び出し信号を出力するようにしても良い。これにより、呼び出し操作部２を一回操作するだけで、呼び出し信号が出力されるので、患者の容態が悪化して呼び出し操作部２を一回しか操作できないような緊急の場合でも、確実に呼び出しを行なうことができる。
【００３５】
また、前述した実施形態では、呼び出し操作部２が一回目に操作された場合に照明ユニット２０の照明灯２３を点灯し、二回目に操作された場合に呼び出し信号を出力するようにしているが、これに限定されない。例えば、呼び出し操作部２が操作された場合に照明ユニット２０の照明灯２３を点灯し、呼び出し操作部２が操作されている時間が所定時間以上となった場合に呼び出し信号を出力するようにしても良い。
【００３６】
また、前述した実施形態では、制御部１１およびインターフェース１２を壁面ユニット１０に設けているが、これに限定されない。例えば、操作ユニット１に設けるようにしても良い。
【００３７】
また、前述した実施形態では、照明灯２３を点灯／消灯するための操作スイッチ２４を照明ユニット２０に設けているが、これに限定されない。例えば、操作ユニット１に設けるようにしても良い。これにより、患者は、医療従事者を呼び出す場合以外でも、照明ユニット２０の照明灯２３を手元で点灯／消灯することができる。
【００３８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３９】
【図１】本実施形態によるナースコール子機の外観例を示す図である。
【図２】本実施形態によるナースコール子機の構成例を示すブロック図である。
【図３】本実施形態によるナースコール子機の動作および呼び出し方法を示すフローチャートである。
【符号の説明】
【００４０】
１    操作ユニット
２    呼び出し操作部
３    光源
４    筐体
１０    壁面ユニット
１１    制御部
１２    インターフェース
１３    操作ユニット用接続部
１４    復旧操作部
１５    照明ユニット用接続部
１６    照明ユニット支持部
２０    照明ユニット
２１    アーム
２２    電源線
２３    照明灯
２４    照明スイッチ
【図１】
2009034202.tif 000003
【図２】
2009034202.tif 000004
【図３】
2009034202.tif 000005